(57)【要約】【課題】受け材が外観上目立ち難く意匠性の優れた幕板の取付構造を提供する。【解決手段】幕板１が外壁３に受け材２を介して取り付けられている。受け材２は、外壁３の表面に固定された固定部２０と、固定部２０から屋外側に突出した掛止部２１とを有している。幕板１は、化粧部１０と、引掛部１３とを有している。引掛部１３は、化粧部１０から屋内側に突出して掛止部２１を下方から視認できないように覆うと共に、掛止部２１に引っ掛けられている。【選択図】図１
2018059346.tif 000002
【特許請求の範囲】
【請求項１】
外壁に受け材を介して取り付けられる幕板の取付構造であって、
前記受け材は、
前記外壁の表面に固定された固定部と、
前記固定部から屋外側に突出した掛止部とを有し、
前記幕板は、
前記受け材よりも屋外側に設けられ、前記幕板の外観を形成する化粧部と、
前記化粧部から屋内側に突出して前記掛止部を下方から視認できないように覆うと共に、前記掛止部に引っ掛けられた引掛部と、を有したことを特徴とする幕板の取付構造。
【請求項２】
前記掛止部は、前記固定部から屋外側に斜め上方に延びており、
前記引掛部は、
前記化粧部から屋内側に前記受け材の下方まで突出したカバー片と、
前記カバー片の屋内側端部から屋外側に斜め上方に延びて前記掛止部に上方から引っ掛かる引掛片とを有することを特徴とする請求項１に記載の幕板の取付構造。
【請求項３】
前記カバー片と前記外壁との間に隙間が設けられており、
前記引掛片の先端が前記固定部に当接していることを特徴とする請求項２に記載の幕板の取付構造。
【発明の詳細な説明】
【技術分野】
【０００１】
本発明は幕板の取付構造に関し、詳しくは外壁に受け材を介して取り付けられる幕板の取付構造に関する。
【背景技術】
【０００２】
特許文献１には、上下方向に並ぶ外壁板の接合部分を覆う幕板が開示されている。この幕板は、上下の外壁板に留め付けられた取付部材に取り付けられている。
【先行技術文献】
【特許文献】
【０００３】
【特許文献１】特開２００５−２６４５２３号公報
【発明の概要】
【発明が解決しようとする課題】
【０００４】
ところで、幕板の下端部を外壁に取り付けられた受け材に固定する方法としては、図３に示すように、幕板１から屋内側に突出した引掛部１３を、受け材２から屋外側に突出した掛止部２１の上に引っ掛けることが考えられる。具体的に、上記幕板１は、断面略Ｌ字状をなし、上側の外壁材３の下端部裏側において壁下地に固定されると共に上下両外壁材３の間から屋外側に突出する固定部１４と、この固定部１４の屋外側端から鉛直下方に延びて幕板１の外観を形成する化粧板部１０と、この化粧板部１０の下端から屋内側に鉛直上方に延び、さらに上端部が屋内側に向かって下方に傾斜する上記引掛部１３と、を有している。一方、上記受け材２は、下側の外壁材３の表面に固定される固定片２０と、この固定片２０の下端から屋外側に水平に延びる水平片２３と、この水平片２３の屋外側端から上方に延びる掛止片２１と、を有している。そして、上記幕板１は、固定部１４が上述の如く壁下地に固定されると共に、引掛部１３の先端部が上記受け材２の掛止片２１に上側から引っ掛かることにより、取り付けられる。
【０００５】
しかし、上記のような取付状態では、幕板１の化粧板部１０及び引掛部１３における鉛直上方に延びる部分は、受け材２の水平片２３よりも屋外側に位置しており、この水平片２３は下側から覆われておらず、下方に露出している。したがって、美観上、受け材２を幕板１の色彩に合わせる必要があるが、そうすると、幕板１と同じカラーバリエーションの受け材２を用意しなければならないという問題がある。
【０００６】
本発明は前記事情に鑑みてなされたものであって、幕板と同じカラーバリエーションの受け材を用意する必要の無い幕板の取付構造を提供することを目的とする。
【課題を解決するための手段】
【０００７】
前記目的を達成するために本発明に係る一態様の幕板の取付構造は、外壁に受け材を介して取り付けられる幕板の取付構造であって、以下の特徴を有している。前記受け材は、前記外壁の表面に固定された固定部と、前記固定部から屋外側に突出した掛止部とを有している。前記幕板は、化粧部と、引掛部とを有している。前記化粧部は、前記受け材よりも屋外側に設けられ、前記幕板の外観を形成する。前記引掛部は、前記化粧部から屋内側に突出して前記掛止部を下方から視認できないように覆うと共に、前記掛止部に引っ掛けられている。
【発明の効果】
【０００８】
本発明に係る一態様の幕板の取付構造にあっては、受け材の掛止部が下方から視認できないように引掛部によって覆われるため、幕板と同じカラーバリエーションの受け材を用意する必要が無い。
【図面の簡単な説明】
【０００９】
【図１】図１は、本発明に係る一実施形態の幕板の取付構造の断面図である。
【図２】図２は、図１の要部拡大図である。
【図３】図３は、参考例の幕板の取付構造の断面図である。
【発明を実施するための形態】
【００１０】
以下、添付図面に基づいて実施形態の幕板の取付構造について説明する。図１に示すように、本実施形態の幕板の取付構造（外壁構造）は、幕板１が受け材２を介して外壁３に取付けられている。
【００１１】
本実施形態の幕板１の取付構造は、壁下地４、外壁３、受け材２、及び幕板１を具備している。壁下地４は、柱等の構造材５に取り付けられた複数の胴縁４０で構成されている。なお、壁下地４はボードや柱等で構成されてもよい。
【００１２】
外壁３は、縦張り用の複数の外壁材３１、３２で構成されている。複数の外壁材３１，３２の各々は、例えば金属系サイディングで構成される。なお、各外壁材３１，３２は、窯業系サイディングや、樹脂系サイディングであってもよい。また、複数の外壁材３１，３２は、横張り用の複数の外壁材であってもよい。
【００１３】
複数の外壁材３１，３２は、壁下地４の屋外側の面に沿って上下に並べて設けられる外壁材３１，３２を含む。以下、上側に設けられる外壁材３１を上段外壁材３１といい、下側に設けられる外壁材３２を下段外壁材３２という。
【００１４】
本実施形態の下段外壁材３２と上段外壁材３１との間は、建物における上下階の境界に位置している。すなわち、下段外壁材３２は建物の下階部分（例えば１階部分）の外壁を構成し、上段外壁材３１は建物の上階部分（例えば２階部分）の外壁を構成する。
【００１５】
下段外壁材３２は複数の胴縁４０の屋外側の面に沿って配置され、図示しない取付具等を用いて複数の胴縁４０に固定されている。
【００１６】
下段外壁材３２の上端部には、幕板１を受ける受け材２が取り付けられている。図示は省略するが、受け材２は、長尺状の部材であって、長尺の幕板１に対して一対一で対応している。なお、受け材２は、左右方向に複数並べて設けられてもよい。
【００１７】
受け材２は、金属製であって、例えば金属板を折曲加工することで形成される。受け材２は、側断面レ字状に形成されており、下段外壁材３２の表面に固定された固定部２０と、固定部２０から屋外側に突出した掛止部２１とを有している。
【００１８】
固定部２０は下段外壁材３２の表面（屋外側の面）に沿った板状に形成されている。固定部２０は固着具２２によって下段外壁材３２に固定されている。これにより、受け材２は、下段外壁材３２に取り付けられている。固着具２２は例えば釘又はねじで構成され、固定部２０及び下段外壁材３２に挿通されて、下段外壁材３２の屋内側に位置する胴縁４０に固着される。
【００１９】
掛止部２１は、板状に形成されている。掛止部２１は、固定部２０の下端部から屋外側斜め上方に向かって突出しており、屋外側の端部に近い部分程上方に位置するように傾斜している。
【００２０】
下段外壁材３２に取り付けられた受け材２には、幕板１の下端部が取り付けられている。幕板１は、下段外壁材３２の上端部及び受け材２を屋外側から覆っている。
【００２１】
幕板１は、下段外壁材３２の表面に沿って水平に延びた長尺な部材である。幕板１は、金属製であり、例えば金属板を折曲加工して形成される。
【００２２】
幕板１は、図１に示す、化粧部１０、引掛部１３、及び固着片１５を有している。これら、化粧部１０、引掛部１３、及び固着片１５は、幕板１の長手方向に亘って形成されている。
【００２３】
化粧部１０は、受け材２よりも屋外側に設けられており、幕板１の外観（幕板１の屋外側の面）を形成する。化粧部１０は、下段外壁材３２と平行な板状に形成されている。化粧部１０は、下段外壁材３２の屋外側の面から、屋外側に離れている。
【００２４】
引掛部１３は、化粧部１０から屋内側に突出して掛止部２１を下方から視認できないように覆うと共に、掛止部２１に引っ掛けられている。
【００２５】
引掛部１３は、化粧部１０の下端部から屋内側に掛止部２１の下方まで突出したカバー片１１と、カバー片１１の屋内側端部から屋外側に斜め上方に延びて掛止部２１に上方から引っ掛かる引掛片１２とを有している。
【００２６】
カバー片１１は、水平な板状に形成されており、幕板１の下面を構成している。引掛片１２は、図２に示すように、カバー片１１の屋内側端部から屋外側斜め上方に向かって突出した立上部１７と、立上部１７の上端部から屋内側に向かって突出した引掛部１３とを有している。引掛部１３は、屋内側の端部に近い部分程下方に位置するように傾斜している。
【００２７】
立上部１７と引掛部１３との間には、下方に開口した差込溝１６が形成されている。差込溝１６には、受け材２の掛止部２１が位置している。引掛部１３は、掛止部２１の上に引っ掛けられている。これにより、幕板１の下端部は、受け材２に下方から支持されており、受け材２を介して下段外壁材３２に取り付けられている。
【００２８】
幕板１のカバー片１１の屋内側端部は、受け材２の掛止部２１の先端（屋外側の端）よりも屋内側に位置しており、立上部１７及びカバー片１１は、掛止部２１の下方に位置している。これにより、掛止部２１の下面が、立上部１７及びカバー片１１によって下方から視認できないように覆われている。カバー片１１と下段外壁材３２との間には、隙間Ｓが設けられており、また、引掛片１２の先端は、受け材２の固定部２０に接している。
【００２９】
図１に示すように、幕板１の固着部１４は、断面略Ｌ字状をなし、上段外壁材３１の下端部裏側において胴縁４０に固定されると共に、上段外壁材３１と下段外壁材３２との間から屋外側に突出している。
【００３０】
固着部１４は、化粧部１０の上端部から屋内側に向かって突出した突出片１９と、突出片１９の屋内側端部から上方に向かって突出した固着片１５とを有している。
【００３１】
突出片１９は板状であり、幕板１の上面を構成している。
【００３２】
本実施形態の突出片１９は、屋内側に近い部分程上方に位置するように傾斜している。突出片１９の屋内側の端は、カバー片１１及び引掛片１２よりも屋内側に位置している。
【００３３】
上段外壁材３１の表面に沿って流下した雨水は、突出片１９上に落下し、突出片１９の傾斜に沿って化粧部１０側に流れる。このため、上段外壁材３１の表面を流れる雨水が、上段外壁材３１と下段外壁材３２との間から、胴縁４０側に浸入することが抑制される。
【００３４】
固着片１５は、突出片１９の屋内側端部から上方に向かって突出している。固着片１５は、上段外壁材３１の屋内側に位置する胴縁４０の屋外側の面に沿っている。固着片１５は固着具１８によって胴縁４０に固定されている。これにより、幕板１の上端部は、胴縁４０に取り付けられている。固着具１８は、例えば釘又はねじで構成され、固着片１５及び胴縁４０に挿通されて構造材５に固着される。
【００３５】
上段外壁材３１は複数の胴縁４０の屋外側の面に沿って配置され、図示しない取付具等を用いて複数の胴縁４０に固定されている。上段外壁材３１の下端部は、幕板１の固着片１５の屋外側の面に沿っている。上段外壁材３１の下端面と下段外壁材３２の上端面との間には、幕板１の突出片１９の屋内側部分が位置している。
【００３６】
受け材２及び幕板１は、例えば以下のように施工される。施工者は、まず、複数の胴縁４０に固定された下段外壁材３２に受け材２を取り付ける。この場合、施工者は、固定部２０を下段外壁材３２の表面に沿って配置し、この後、固定部２０に屋外側から固着具２２を打ち込んで、固定部２０を下段外壁材３２に固定する。
【００３７】
次に施工者は、図２に示す差込溝１６に掛止部２１を挿入しながら、幕板１の引掛部１３を受け材２の掛止部２１の上に引っ掛ける。これにより、幕板１を受け材２によって仮支持し、図１に示すように、固着片１５を下段外壁材３２よりも上方に位置する胴縁４０の屋外側の面に沿わせる。
【００３８】
この仮支持状態では、カバー片１１と下段外壁材３２との間に、隙間Ｓが形成される。このため、幕板１を受け材２に取り付けるにあたって、下段外壁材３２の表面が、幕板１によって損傷することが抑制される。また、この仮支持状態では、引掛片１２の先端が受け材２の固定部２０に接する。このため、前述のようにカバー片１１と下段外壁材３２との間に隙間Ｓがあっても、幕板１が屋外側に回転し難く、受け材２により幕板１は安定した状態で仮支持される。
【００３９】
次に施工者は、固着片１５に屋外側から固着具１８を打ち込んで、固着片１５を胴縁４０に固定する。これにより、幕板１は下段外壁材３２及び胴縁４０に取り付けられる。なお、上段外壁材３１は、幕板１の固着片１５を胴縁４０に固定した後、図示しない取付具等を用いて胴縁４０に固定される。
【００４０】
以上説明した本実施形態の幕板１の取付構造は、外壁３に受け材２を介して取り付けられる幕板１の取付構造であって、以下に示す特徴を有している。受け材２は、外壁３の表面に固定された固定部２０と、固定部２０から屋外側に突出した掛止部２１とを有している。幕板１は、化粧部１０と、引掛部１３とを有している。化粧部１０は、受け材２よりも屋外側に設けられ、幕板１の外観を形成する。引掛部１３は、化粧部１０から屋内側に突出して掛止部２１を下方から視認できないように覆うと共に、掛止部２１に引っ掛けられている。以下、この特徴を有する幕板１の取付構造を、第１の態様の幕板１の取付構造という。
【００４１】
第１の態様の幕板１の取付構造にあっては、幕板１の引掛部１３により受け材２の掛止部２１が下方から視認できないように覆われる。このため、掛止部２１が下方から見え難くなり、外観を向上できる。また、このように掛止部２１が下方から視認できないように覆われるため、受け材２の色を幕板１の色とは異なる色にしても、受け材２が目立ち難くなり、美観が損なわれ難くなる。このため、幕板１と同じカラーバリエーションの受け材２を用意する必要が無く、色が異なる複数種類の幕板１の受け材２として、共通の受け材２を用いることができる。
【００４２】
また、本実施形態の幕板１の取付構造は、第１の態様の幕板１の取付構造において、以下に示す付加的な特徴を有している。掛止部２１は、固定部２０から屋外側に斜め上方に延びている。引掛部１３は、化粧部１０から屋内側に受け材２の下方まで突出したカバー片１１と、カバー片１１の屋外側端部から屋外側に斜め上方に延びて掛止部２１に上方から引っ掛かる引掛片１２とを有している。以下、この特徴を有する幕板１の取付構造を、第２の態様の幕板１の取付構造という。
【００４３】
第２の態様の幕板１の取付構造にあっては、幕板１のカバー片１１を利用して、受け材２の掛止部２１の下面を覆うことができる。
【００４４】
また、本実施形態の幕板１の取付構造は、第１又は第２の態様の幕板１の取付構造において、以下に示す付加的な特徴を有している。カバー片１１と外壁３との間に隙間Ｓが設けられている。引掛片１２の先端が固定部２０に当接している。以下、この特徴を有する幕板１の取付構造を、第３の態様の幕板１の取付構造という。
【００４５】
第３の態様の幕板１の取付構造にあっては、カバー片１１と外壁３との間に隙間Ｓがあるため、幕板１によって外壁３の表面が損傷し難い。また、幕板１を受け材２によって仮支持した状態において、カバー片１１と外壁３との間に隙間Ｓがあっても、幕板１の引掛片１２が受け材２の固定部２０に当接していることによって幕板１が屋外側に回転せず、幕板１を受け材２によって安定して支持できる。
【符号の説明】
【００４６】
１  幕板
１０  化粧部
１１  カバー片
１２  引掛片
１３  引掛部
２  受け材
２０  固定部
２１  掛止部
３  外壁
【図１】
2018059346.tif 000003
【図２】
2018059346.tif 000004
【図３】
2018059346.tif 000005